(57)【要約】【課題】本発明は、例えば光ディスク装置に適用して、階層構造を容易に把握し得るようにして、抜粋情報を簡易に登録、削除することができるようにする。【解決手段】本発明は、上位階層、下位階層、同一階層のスロットを指し示す参照情報を設定して、この参照情報を変更することなくフラグを設定して抜粋情報を削除し、また登録する。【選択図】        図５
2004259392.tif 000002
【特許請求の範囲】
【請求項１】
所望のファイルを記録媒体に記録すると共に、前記ファイルの記録に対応して前記記録媒体に記録したインデックスファイルを更新する記録装置において、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記記録装置は、
前記所定のスロットが前記有効無効のフラグにより有効に設定されている状態に前記上位階層、下位階層、同一階層の参照情報の設定を維持したまま、前記有効無効のフラグを無効に設定することにより、該スロットを空きスロットに設定することを特徴とする記録装置。
【請求項２】
登録先に対応するように前記上位階層、下位階層、同一階層の参照情報が設定されている前記空きスロットを検出し、
該空きスロットに、前記上位階層、下位階層、同一階層の参照情報の設定を維持したまま、前記有効無効フラグを有効に設定すると共に、対応する抜粋情報を割り当てることにより、前記インデックスファイルに前記抜粋情報を登録することを特徴とする請求項１に記載の記録装置。
【請求項３】
前記上位階層の参照情報が、
対応するファイル又はフォルダの属する直近のフォルダに対応する前記スロットを指し示す親エントリ番号であり、
前記下位階層の参照情報が、
フォルダに対応する前記抜粋情報を保持してなるスロットにおいては、該フォルダに属する直近のフォルダ又はファイルに対応する前記スロットを指し示し、ファイルに対応する前記抜粋情報を保持してなるスロットにおいては、所定の値に設定される子エントリ番号であり、
前記同一階層の参照情報が、
対応するフォルダ又はファイルと同一のフォルダに属する同一階層のファイル及びフォルダに対応するスロットにおいて、循環的に順次他のスロットを指し示すシブリングエントリ番号であることを特徴とする請求項１に記載の記録装置。
【請求項４】
所望のファイルを記録媒体に記録すると共に、前記ファイルの記録に対応して前記記録媒体に記録したインデックスファイルを更新する記録装置において、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記記録装置は、
所定のスロットについて、矛盾するように前記上位階層、下位階層、同一階層の参照情報を設定し、
前記有効無効のフラグを有効に設定すると共に前記抜粋情報を割り当て、
前記インデックスファイルに前記抜粋情報を登録することを特徴とする記録装置。
【請求項５】
前記上位階層、下位階層、同一階層の参照情報の設定は、
前記上位階層の参照情報と、前記下位階層の参照情報とが同一のスロットを指し示す設定であることを特徴とする請求項４に記載の記録装置。
【請求項６】
前記上位階層、下位階層、同一階層の参照情報の設定は、
前記同一階層の参照情報が、同一階層には存在しないスロットを指し示す設定であることを特徴とする請求項４に記載の記録装置。
【請求項７】
矛盾する前記上位階層、下位階層、同一階層の参照情報が設定されてなる前記スロットを検出し、
該検出したスロットの対応するファイルをまとめて表示することを特徴とする請求項４に記載の記録装置。
【請求項８】
矛盾する前記上位階層、下位階層、同一階層の参照情報が設定されてなる前記スロットを検出し、
該検出したスロットが所定のフォルダに属するように、前記スロット及び関係するスロットの前記参照情報を更新することを特徴とする請求項４に記載の記録装置。
【請求項９】
所望のファイルを記録媒体に記録すると共に、前記ファイルの記録に対応して前記記録媒体に記録したインデックスファイルを更新する記録装置において、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記上位階層の参照情報が、
対応するファイル又はフォルダの属する直近のフォルダに対応する前記スロットを指し示す親エントリ番号であり、
前記下位階層の参照情報が、
フォルダに対応する前記抜粋情報を保持してなるスロットにおいては、該フォルダに属する直近のフォルダ又はファイルに対応する前記スロットを指し示し、ファイルに対応する前記抜粋情報を保持してなるスロットにおいては、所定の値に設定される子エントリ番号であり、
前記同一階層の参照情報が、
対応するフォルダ又はファイルと同一のフォルダに属する同一階層のファイル及びフォルダに対応するスロットにおいて、循環的に順次他のスロットを指し示すシブリングエントリ番号であり、
前記記録装置は、
前記有効無効のフラグを無効に設定することにより、該スロットを空きスロットに設定し、
他の空きスロットとの間で、前記シブリングエントリ番号が順次循環して他のスロットを指し示すように、該空きスロット及び他の空きスロットの前記参照情報を設定することを特徴とする記録装置。
【請求項１０】
所望のファイルを記録媒体に記録すると共に、前記ファイルの記録に対応して前記記録媒体に記録したインデックスファイルを更新するファイル管理方法において、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記ファイル管理方法は、
前記所定のスロットが前記有効無効のフラグにより有効に設定されている状態に前記上位階層、下位階層、同一階層の参照情報の設定を維持したまま、前記有効無効のフラグを無効に設定することにより、該スロットを空きスロットに設定することを特徴とするファイル管理方法。
【請求項１１】
登録先に対応するように前記上位階層、下位階層、同一階層の参照情報が設定されている前記空きスロットを検出し、
該空きスロットに、前記参照情報の設定を維持したまま、前記有効無効フラグを有効に設定すると共に、対応する抜粋情報を割り当てることにより、前記インデックスファイルに前記抜粋情報を登録することを特徴とする請求項１０に記載のファイル管理方法。
【請求項１２】
所望のファイルを記録媒体に記録すると共に、前記ファイルの記録に対応して前記記録媒体に記録したインデックスファイルを更新するファイル管理方法において、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記ファイル管理方法は、
所定のスロットについて、矛盾するように前記上位階層、下位階層、同一階層の参照情報を設定し、
前記有効無効のフラグを有効に設定すると共に前記抜粋情報を割り当て、
前記インデックスファイルに前記抜粋情報を登録することを特徴とするファイル管理方法。
【請求項１３】
矛盾する前記上位階層、下位階層、同一階層の参照情報が設定されてなる前記スロットを検出し、
該検出したスロットが所定のフォルダに属するように、前記スロット及び関係するスロットの前記参照情報を更新することを特徴とする請求項１２に記載のファイル管理方法。
【請求項１４】
所望のファイルを記録媒体に記録すると共に、前記ファイルの記録に対応して前記記録媒体に記録したインデックスファイルを更新するファイル管理方法において、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記上位階層の参照情報が、
対応するファイル又はフォルダの属する直近のフォルダに対応する前記スロットを指し示す親エントリ番号であり、
前記下位階層の参照情報が、
フォルダに対応する前記抜粋情報を保持してなるスロットにおいては、該フォルダに属する直近のフォルダ又はファイルに対応する前記スロットを指し示し、ファイルに対応する前記抜粋情報を保持してなるスロットにおいては、所定の値に設定される子エントリ番号であり、
前記同一階層の参照情報が、
対応するフォルダ又はファイルと同一のフォルダに属する同一階層のファイル及びフォルダに対応するスロットにおいて、循環的に順次他のスロットを指し示すシブリングエントリ番号であり、
前記ファイル管理方法は、
前記有効無効のフラグを無効に設定することにより、該スロットを空きスロットに設定し、
他の空きスロットとの間で、前記シブリングエントリ番号が順次循環して他のスロットを指し示すように、該空きスロット及び他の空きスロットの前記参照情報を設定することを特徴とするファイル管理方法。
【請求項１５】
コンピュータに所定の処理手順を実行させることにより、所望のファイルを記録媒体に記録すると共に、前記ファイルの記録に対応して前記記録媒体に記録したインデックスファイルを更新するファイル管理方法のプログラムにおいて、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記処理手順が、
前記所定のスロットが前記有効無効のフラグにより有効に設定されている状態に前記上位階層、下位階層、同一階層の参照情報の設定を維持したまま、前記有効無効のフラグを無効に設定することにより、該スロットを空きスロットに設定する処理手順であることを特徴とするファイル管理方法のプログラム。
【請求項１６】
コンピュータに所定の処理手順を実行させることにより、所望のファイルを記録媒体に記録すると共に、前記ファイルの記録に対応して前記記録媒体に記録したインデックスファイルを更新するファイル管理方法のプログラムにおいて、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記処理手順が、
所定のスロットについて、矛盾するように前記上位階層、下位階層、同一階層の参照情報を設定し、
前記有効無効のフラグを有効に設定すると共に前記抜粋情報を割り当て、
前記インデックスファイルに前記抜粋情報を登録する処理手順であることを特徴とするファイル管理方法のプログラム。
【請求項１７】
コンピュータに所定の処理手順を実行させることにより、所望のファイルを記録媒体に記録すると共に、前記ファイルの記録に対応して前記記録媒体に記録したインデックスファイルを更新するファイル管理方法のプログラムにおいて、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記上位階層の参照情報が、
対応するファイル又はフォルダの属する直近のフォルダに対応する前記スロットを指し示す親エントリ番号であり、
前記下位階層の参照情報が、
フォルダに対応する前記抜粋情報を保持してなるスロットにおいては、該フォルダに属する直近のフォルダ又はファイルに対応する前記スロットを指し示し、ファイルに対応する前記抜粋情報を保持してなるスロットにおいては、所定の値に設定される子エントリ番号であり、
前記同一階層の参照情報が、
対応するフォルダ又はファイルと同一のフォルダに属する同一階層のファイル及びフォルダに対応するスロットにおいて、循環的に順次他のスロットを指し示すシブリングエントリ番号であり、
前記処理手順が、
前記有効無効のフラグを無効に設定することにより、該スロットを空きスロットに設定し、
他の空きスロットとの間で、前記シブリングエントリ番号が順次循環して他のスロットを指し示すように、該空きスロット及び他の空きスロットの前記参照情報を設定する処理手順であることを特徴とするファイル管理方法のプログラム。
【請求項１８】
コンピュータに所定の処理手順を実行させることにより、所望のファイルを記録媒体に記録すると共に、前記ファイルの記録に対応して前記記録媒体に記録したインデックスファイルを更新するファイル管理方法のプログラムを記録した記録媒体において、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記処理手順が、
前記所定のスロットが前記有効無効のフラグにより有効に設定されている状態に前記上位階層、下位階層、同一階層の参照情報の設定を維持したまま、前記有効無効のフラグを無効に設定することにより、該スロットを空きスロットに設定する処理手順であることを特徴とするファイル管理方法のプログラムを記録した記録媒体。
【請求項１９】
コンピュータに所定の処理手順を実行させることにより、所望のファイルを記録媒体に記録すると共に、前記ファイルの記録に対応して前記記録媒体に記録したインデックスファイルを更新するファイル管理方法のプログラムを記録した記録媒体において、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記処理手順が、
所定のスロットについて、矛盾するように前記上位階層、下位階層、同一階層参照情報を設定し、
前記有効無効のフラグを有効に設定すると共に前記抜粋情報を割り当て、
前記インデックスファイルに前記抜粋情報を登録する処理手順であることを特徴とするファイル管理方法のプログラムを記録した記録媒体。
【請求項２０】
コンピュータに所定の処理手順を実行させることにより、所望のファイルを記録媒体に記録すると共に、前記ファイルの記録に対応して前記記録媒体に記録したインデックスファイルを更新するファイル管理方法のプログラムを記録した記録媒体において、
前記インデックスファイルは、
前記ファイル及びフォルダの抜粋情報によるスロットの連続により形成され、
前記各スロットには、
上位階層のスロットを指し示す上位階層の参照情報と、
下位階層のスロットを指し示す下位階層の参照情報と、
同一階層のスロットを指し示す同一階層の参照情報と、
有効無効を示す有効無効のフラグとが設定され、
前記上位階層の参照情報が、
対応するファイル又はフォルダの属する直近のフォルダに対応する前記スロットを指し示す親エントリ番号であり、
前記下位階層の参照情報が、
フォルダに対応する前記抜粋情報を保持してなるスロットにおいては、該フォルダに属する直近のフォルダ又はファイルに対応する前記スロットを指し示し、ファイルに対応する前記抜粋情報を保持してなるスロットにおいては、所定の値に設定される子エントリ番号であり、
前記同一階層の他のスロットとの関係を示す参照情報が、
対応するフォルダ又はファイルと同一のフォルダに属する同一階層のファイル及びフォルダに対応するスロットにおいて、循環的に順次他のスロットを指し示すシブリングエントリ番号であり、
前記処理手順が、
前記有効無効のフラグを無効に設定することにより、該スロットを空きスロットに設定し、
他の空きスロットとの間で、前記シブリングエントリ番号が順次循環して他のスロットを指し示すように、該空きスロット及び他の空きスロットの前記参照情報を設定する処理手順であることを特徴とするファイル管理方法のプログラムを記録した記録媒体。
【発明の詳細な説明】
【０００１】
【発明の属する技術分野】
本発明は、記録装置、ファイル管理方法、ファイル管理方法のプログラム、ファイル管理方法のプログラムを記録した記録媒体に関し、例えば光ディスク装置に適用することができる。本発明は、上位階層、下位階層、同一階層のスロットを指し示す参照情報の機能を有効活用して抜粋情報を登録削除することにより、階層構造を容易に把握し得るようにして、抜粋情報を簡易に登録、削除することができるようにする。
【０００２】
【従来の技術】
近年、光ディスク等のランダムアクセス可能な大容量の記録媒体を用いて、撮像結果を記録するディスク装置等が提案されるようになされている。
【０００３】
このようなディスク装置に関して、例えば特開２００１−８４７０５号公報においては、記録媒体に記録した多数のファイルよりこれら多数のファイルのインデックス用のファイルであるインデクスファイルを作成してこの記録媒体に記録することにより、このインデックスファイルを用いてこれら多数のファイルに係る操作性を向上する方法が提案されるようになされている。
【０００４】
また特開２００２−２７８９９６号公報においては、このようにして作成したインデックスファイルにおいて、各ファイルを階層化して管理することにより、さらに一段とこれら多数のファイルに係る操作性を向上する方法が提案されるようになされている。
【０００５】
この方法によるインデックスファイルにおいては、管理対象ファイル等より抜粋した抜粋情報によるスロットの連続により形成され、記録媒体のファイル管理システムによる階層構造とは別にユーザー等の設定による階層構造に対応して、さらにはユーザー等の設定によるお気に入り等に係る仮想の階層構造に対応して、上位階層の対応するスロットを指し示す参照情報が各スロットに設定されるようになされている。これによりこのインデックスファイルにおいては、この参照情報に基づいて、下位階層より順次階層を辿ってこれらの階層構造を表現するようになされている。
【０００６】
【特許文献１】
特開２００１−８４７０５号公報
【特許文献２】
特開２００２−２７８９９６号公報
【０００７】
【発明が解決しようとする課題】
ところでこのような階層構造を定義する参照情報については、このような上位階層のスロットを指し示す上位階層の参照情報だけでなく、下位階層のスロットを指し示す下位階層の参照情報、同一階層のスロットを指し示す同一階層の参照情報を設けることにより、使い勝手を一段と向上できると考えられる。すなわちこのようにすれば、上位階層側についても、下位階層側についても、階層を辿ることができ、また１つのフォルダに属するファイル、フォルダについても簡易に検出することができる。
【０００８】
またこのような参照情報のうち、上位階層の参照情報については、フォルダを指し示すようにし、下位階層の参照情報については、フォルダ又はファイルを指し示すようにし、同一階層の他のスロットとの関係を示す参照情報については、同一階層のスロットにおいて、循環的に順次、他のスロットを指し示すように設定すれば、各スロットにおいては、それぞれ１つのスロットを指し示すようにこれらの参照情報を設定し得、これにより１つのフォルダに登録されるファイルの数が種々に異なる場合でも柔軟に対応することができ、便利であると考えられる。
【０００９】
またこのようなスロットを単位した抜粋情報の管理において、各スロットに設定したフラグの変更により、このスロットに設定された抜粋情報を無効な抜粋情報に設定して、このスロットを空きスロットに設定することにより、ファイル、フォルダの削除等に対応して簡易に対応する抜粋情報を削除し得、インデックスファイルの管理を簡略化することができると考えられる。
【００１０】
しかしながらこのようにフラグの設定により空きスロットに設定、追加し、また空きスロットを再利用する場合、階層構造の把握に便利なように参照情報を設定すればする程、却って参照情報の処理が煩雑になる問題がある。
【００１１】
すなわち上述した上位階層、下位階層、同一階層の参照情報により階層構造を表現する場合において、何れかのスロットを空きスロットに設定する場合、このスロットに対応するファイル、フォルダにあっては、他のスロットとの関係が変化することにより、これら参照情報の設定を変更することが必要になる。しかしながら参照情報にあっては、処理対象のスロットだけでなく、この処理対象のスロットを指し示す上位階層、下位階層、同一階層の参照情報についても、併せて変更することが必要になる。これによりこの場合には、処理対象のスロットだけでなく、他のスロットについても、参照情報を設定し直すことが必要になる。また同一階層の参照情報については、同一階層のスロット間で、順次、循環的に他のスロットを指し示すように設定されていることにより、この参照情報を順次辿って循環に係る前後のスロットを検出し、設定し直すことが必要になる。
【００１２】
これに対して空きスロットを再利用して抜粋情報を登録する場合には、このような空きスロットに設定する場合とは逆の処理を実行することが必要になる。また空きスロットを追加して利用する場合にも、同様の処理が必要になる。
【００１３】
本発明は以上の点を考慮してなされたもので、階層構造を容易に把握し得るようにして、抜粋情報を簡易に登録、削除することができる記録装置、ファイル管理方法、ファイル管理方法のプログラム、ファイル管理方法のプログラムを記録した記録媒体を提案しようとするものである。
【００１４】
【課題を解決するための手段】
かかる課題を解決するため請求項１の発明においては、所望のファイルを記録媒体に記録すると共に、ファイルの記録に対応して記録媒体に記録したインデックスファイルを更新する記録装置に適用して、所定のスロットが有効無効のフラグにより有効に設定されている状態に上位階層、下位階層、同一階層の参照情報の設定を維持したまま、有効無効のフラグを無効に設定することにより、該スロットを空きスロットに設定する。
【００１５】
また請求項２の発明においては、請求項１の構成において、登録先に対応するように上位階層、下位階層、同一階層の参照情報が設定されている空きスロットを検出し、該空きスロットに、参照情報の設定を維持したまま、有効無効フラグを有効に設定すると共に、対応する抜粋情報を割り当てることにより、インデックスファイルに抜粋情報を登録する。
【００１６】
また請求項４の発明においては、所望のファイルを記録媒体に記録すると共に、ファイルの記録に対応して記録媒体に記録したインデックスファイルを更新する記録装置に適用して、所定のスロットについて、矛盾するように上位階層、下位階層、同一階層の参照情報を設定し、有効無効のフラグを有効に設定すると共に抜粋情報を割り当て、インデックスファイルに抜粋情報を登録する。
【００１７】
また請求項９の発明においては、所望のファイルを記録媒体に記録すると共に、ファイルの記録に対応して記録媒体に記録したインデックスファイルを更新する記録装置において、有効無効のフラグを無効に設定することにより、該スロットを空きスロットに設定し、他の空きスロットとの間で、シブリングエントリ番号が順次循環して他のスロットを指し示すように、該空きスロット及び他の空きスロットの参照情報を設定する。
【００１８】
また請求項１０の発明においては、所望のファイルを記録媒体に記録すると共に、ファイルの記録に対応して記録媒体に記録したインデックスファイルを更新するファイル管理方法に適用して、所定のスロットが有効無効のフラグにより有効に設定されている状態に上位階層、下位階層、同一階層の参照情報の設定を維持したまま、有効無効のフラグを無効に設定することにより、該スロットを空きスロットに設定する。
【００１９】
また請求項１２の発明においては、所望のファイルを記録媒体に記録すると共に、ファイルの記録に対応して記録媒体に記録したインデックスファイルを更新するファイル管理方法に適用して、所定のスロットについて、矛盾するように上位階層、下位階層、同一階層の参照情報を設定し、有効無効のフラグを有効に設定すると共に抜粋情報を割り当て、インデックスファイルに抜粋情報を登録する。
【００２０】
また請求項１４の発明においては、所望のファイルを記録媒体に記録すると共に、ファイルの記録に対応して記録媒体に記録したインデックスファイルを更新するファイル管理方法に適用して、有効無効のフラグを無効に設定することにより、該スロットを空きスロットに設定し、他の空きスロットとの間で、シブリングエントリ番号が順次循環して他のスロットを指し示すように、該空きスロット及び他の空きスロットの参照情報を設定する。
【００２１】
また請求項１５の発明においては、コンピュータに所定の処理手順を実行させることにより、所望のファイルを記録媒体に記録すると共に、ファイルの記録に対応して記録媒体に記録したインデックスファイルを更新するファイル管理方法のプログラムに適用して、処理手順が、所定のスロットが有効無効のフラグにより有効に設定されている状態に上位階層、下位階層、同一階層の参照情報の設定を維持したまま、有効無効のフラグを無効に設定することにより、該スロットを空きスロットに設定する処理手順であるようにする。
【００２２】
また請求項１６の発明においては、コンピュータに所定の処理手順を実行させることにより、所望のファイルを記録媒体に記録すると共に、ファイルの記録に対応して記録媒体に記録したインデックスファイルを更新するファイル管理方法のプログラムに適用して、処理手順が、所定のスロットについて、矛盾するように上位階層、下位階層、同一階層の参照情報を設定し、有効無効のフラグを有効に設定すると共に抜粋情報を割り当て、インデックスファイルに抜粋情報を登録する処理手順であるようにする。
【００２３】
また請求項１７の発明においては、コンピュータに所定の処理手順を実行させることにより、所望のファイルを記録媒体に記録すると共に、ファイルの記録に対応して記録媒体に記録したインデックスファイルを更新するファイル管理方法のプログラムに適用して、処理手順が、有効無効のフラグを無効に設定することにより、該スロットを空きスロットに設定し、他の空きスロットとの間で、シブリングエントリ番号が順次循環して他のスロットを指し示すように、該空きスロット及び他の空きスロットの参照情報を設定する処理手順であるようにする。
【００２４】
また請求項１８の発明においては、コンピュータに所定の処理手順を実行させることにより、所望のファイルを記録媒体に記録すると共に、ファイルの記録に対応して記録媒体に記録したインデックスファイルを更新するファイル管理方法のプログラムを記録した記録媒体に適用して、処理手順が、所定のスロットが有効無効のフラグにより有効に設定されている状態に上位階層、下位階層、同一階層の参照情報の設定を維持したまま、有効無効のフラグを無効に設定することにより、該スロットを空きスロットに設定する処理手順であるようにする。
【００２５】
また請求項１９の発明においては、コンピュータに所定の処理手順を実行させることにより、所望のファイルを記録媒体に記録すると共に、ファイルの記録に対応して記録媒体に記録したインデックスファイルを更新するファイル管理方法のプログラムを記録した記録媒体に適用して、処理手順が、所定のスロットについて、矛盾するように上位階層、下位階層、同一階層の参照情報を設定し、有効無効のフラグを有効に設定すると共に抜粋情報を割り当て、インデックスファイルに抜粋情報を登録する処理手順であるようにする。
【００２６】
また請求項２０の発明においては、コンピュータに所定の処理手順を実行させることにより、所望のファイルを記録媒体に記録すると共に、ファイルの記録に対応して記録媒体に記録したインデックスファイルを更新するファイル管理方法のプログラムを記録した記録媒体に適用して、処理手順が、有効無効のフラグを無効に設定することにより、該スロットを空きスロットに設定し、他の空きスロットとの間で、シブリングエントリ番号が順次循環して他のスロットを指し示すように、該空きスロット及び他の空きスロットの参照情報を設定する処理手順であるようにする。
【００２７】
請求項１の構成によれば、所望のファイルを記録媒体に記録すると共に、ファイルの記録に対応して記録媒体に記録したインデックスファイルを更新する記録装置に適用して、所定のスロットが有効無効のフラグにより有効に設定されている状態に上位階層、下位階層、同一階層の参照情報の設定を維持したまま、有効無効のフラグを無効に設定することにより、該スロットを空きスロットに設定することにより、単に有効無効フラグの設定だけで、簡易に、元の階層に抜粋情報を登録し得るように抜粋情報を削除することができ、これにより階層構造を容易に把握し得るようにして、抜粋情報の登録、削除を簡略化することができる。
【００２８】
これにより請求項２の構成によれば、請求項１の構成において、登録先に対応するように上位階層、下位階層、同一階層の参照情報が設定されている空きスロットを検出し、該空きスロットに、参照情報の設定を維持したまま、有効無効フラグを有効に設定すると共に、対応する抜粋情報を割り当てることにより、インデックスファイルに抜粋情報を登録すれば、空きスロット設定前の参照情報を有効に利用して抜粋情報を登録し得、これにより階層構造を容易に把握し得るようにして、抜粋情報を簡易に登録することができる。
【００２９】
また請求項４の構成によれば、所望のファイルを記録媒体に記録すると共に、ファイルの記録に対応して記録媒体に記録したインデックスファイルを更新する記録装置に適用して、所定のスロットについて、矛盾するように上位階層、下位階層、同一階層の参照情報を設定し、有効無効のフラグを有効に設定すると共に抜粋情報を割り当て、インデックスファイルに抜粋情報を登録することにより、階層構造を把握しない処理によっても、正しく参照情報を設定可能にして、抜粋情報を登録することができる。これにより階層構造を容易に把握し得るようにして、抜粋情報を簡易に登録することができる。
【００３０】
また請求項９の構成によれば、所望のファイルを記録媒体に記録すると共に、ファイルの記録に対応して記録媒体に記録したインデックスファイルを更新する記録装置において、有効無効のフラグを無効に設定することにより、該スロットを空きスロットに設定し、他の空きスロットとの間で、シブリングエントリ番号が順次循環して他のスロットを指し示すように、該空きスロット及び他の空きスロットの参照情報を設定することにより、空きスロットを１個見つけると、この空きスロットに設定されたシブリングエントリ番号を順次辿って続く空きスロットを検出することができ、これにより階層構造を容易に把握し得るようにして、連続する抜粋情報の登録を簡略化することができる。
【００３１】
これにより請求項１０、請求項１２、請求項１４、請求項１５、請求項１６、請求項１７、請求項１８、請求項１９、請求項２０の構成によれば、上位階層、下位階層、同一階層の参照情報を設定する場合であっても、簡易に、抜粋情報を登録、削除することができるファイル管理方法、ファイル管理方法のプログラム、ファイル管理方法のプログラムを記録した記録媒体を提供することができる。
【００３２】
【発明の実施の形態】
以下、適宜図面を参照しながら本発明の実施の形態を詳述する。
【００３３】
（１）第１の実施の形態
（１−１）光ディスク装置の構成
図１は、本発明の実施の形態に係る光ディスク装置を示すブロック図である。この光ディスク装置１においては、図示しない撮像手段、音声取得手段により被写体のビデオ信号、オーディオ信号を取得し、このビデオ信号及びオーディオ信号による撮像結果を光ディスク２に記録する。またこの光ディスク２に記録した撮像結果を再生して液晶表示パネルによる表示手段、スピーカによる音声出力手段より出力し、また外部機器に出力する。この光ディスク装置１では、このような撮像結果によるビデオ信号及びオーディオ信号をＭＰＥＧ（Ｍｏｖｉｎｇ  Ｐｉｃｔｕｒｅ  Ｅｘｐｅｒｔｓ  Ｇｒｏｕｐ）のフォーマットによりストリーミングデータに変換した後、所定のファイル形式により光ディスク２に記録するようになされ、この実施の形態では、このファイル形式にＱｕｉｃｋ  Ｔｉｍｅ（以下、「ＱＴ」と呼ぶ）が適用されるようになされている。
【００３４】
これにより光ディスク装置１において、ビデオ符号器１１は、撮像結果によるビデオ信号をアナログディジタル変換処理してビデオデータを生成し、このビデオデータをＭＰＥＧのフォーマットに従って符号化処理し、これによりビデオデータによるエレメンタリストリームを出力する。
【００３５】
またオーディオ符号器１２は、撮像結果によるオーディオ信号をアナログディジタル変換処理してオーディオデータを生成し、このオーディオデータをＭＰＥＧのフォーマットに従って符号化処理し、これによりオーディオデータによるエレメンタリストリームを出力する。
【００３６】
ファイル生成器１５は、記録時、ビデオ符号器１１及びオーディオ符号器１２から出力されるエレメンタリストリームを多重化処理し、システム制御マイコン１９の制御によりＱＴムービーファイルを作成する。
【００３７】
メモリコントローラ１８は、システム制御マイコン１９の制御により動作を切り換え、記録時、このファイル生成器１５から出力されるＱＴムービーファイルによるデータ列、システム制御マイコン１９から出力される各種データをメモリ１７に順次記録して一時保持し、続くエラー訂正符号／復号器２１の処理に対応して保持したデータを出力する。また再生時、これとは逆に、エラー訂正符号／復号器２１の出力データを一時保持し、ファイル復号器１６、システム制御マイコン１９に出力する。
【００３８】
エラー訂正符号／復号器２１は、システム制御マイコン１９の制御により動作を切り換え、記録時、メモリコントローラ１８の出力データをメモリ２０に一時記録して誤り訂正符号を付加する。またこのようにしてメモリに保持したデータを所定順序により読み出して出力することにより、これらのデータをインターリーブ処理してデータ変復調器２３に出力する。またエラー訂正符号／復号器２１は、再生時、記録時とは逆に、データ変復調器２３から出力されるデータを所定順序によりメモリ２０に一時記録してメモリコントローラ１８に出力することにより、このデータ変復調器２３から出力されるデータをデインターリーブ処理して出力する。またこのとき、記録時に付加した誤り訂正符号により誤り訂正処理する。
【００３９】
データ変復調器２３は、システム制御マイコン１９の制御により動作を切り換え、記録時、エラー訂正符号／復号器２１の出力データをシリアルデータ列に変換した後、変調処理して磁界変調ドライバ２４又は光ピックアップ３３に出力する。また再生時、光ピックアップ３３から出力される再生信号からクロックを再生し、このクロックを基準にして再生信号を２値識別、復調処理することにより、記録時に生成したシリアルデータ列に対応する再生データを得、この再生データをエラー訂正符号／復号器２１に出力する。
【００４０】
磁界変調ドライバ２４は、光ディスク２が光磁気ディスクの場合に、記録時、システム制御マイコン１９の制御により、データ変復調器２３の出力信号により磁界ヘッド３２を駆動する。ここで磁界ヘッド３２は、光ディスク２を間に挟んで光ピックアップ３３に対向するように保持され、光ピックアップ３３によるレーザービーム照射位置にデータ変復調器２３の出力データに応じた変調磁界を印加する。これによりこの光ディスク装置１では、光ディスク２が光磁気ディスクの場合、熱磁気記録の手法により光ディスク２にＱＴムービーファイル等を記録するようになされている。
【００４１】
かくするにつき光ディスク２は、ディスク状記録媒体であり、この実施の形態では、光磁気ディスク（ＭＯ：Ｍａｇｎｅｔｏ−Ｏｐｔｉｃａｌ  Ｄｉｓｋ）、相変化型ディスク等の書き換え可能な光ディスクである。スピンドルモータ３１は、この光ディスク２をサーボ回路３０の制御により、光ディスク２に応じて線速度一定（ＣＬＶ：Ｃｏｎｓｔａｎｔ  Ｌｉｎｅａｒ  Ｖｅｌｏｃｉｔｙ）、角速度一定（ＣＡＶ、Ｃｏｎｓｔａｎｔ  Ａｎｇｕｌａｒ  Ｖｅｌｏｃｉｔｙ）、ゾーンＣＬＶ（ＺＣＬＶ：Ｚｏｎｅ  Ｃｏｎｓｔａｎｔ  Ｌｉｎｅａｒ  Ｖｅｌｏｃｉｔｙ  ）等の条件により光ディスク２を回転駆動する。
【００４２】
サーボ回路３０は、光ピックアップ３３から出力される各種信号に基づいて、スピンドルモータ３１の動作を制御し、これによりスピンドル制御の処理を実行する。またサーボ回路３０は、同様にして光ピックアップ３３をトラッキング制御、フォーカス制御し、また光ピックアップ３３、磁界ヘッド３２をシークさせ、さらにはフォーカスサーチ等の処理を実行する。
【００４３】
ドライブ制御マイコン２２は、システム制御マイコン１９の指示により、これらサーボ回路３０におけるシーク等の動作を制御する。
【００４４】
光ピックアップ３３は、光ディスク２にレーザービームを照射してその戻り光を所定の受光素子により受光し、受光結果を演算処理することにより、各種制御用の信号を生成して出力し、また光ディスク２に形成されたピット列、マーク列に応じて信号レベルが変化する再生信号を出力する。また光ピックアップ３３は、システム制御マイコン１９の制御により動作を切り換え、光ディスク２が光磁気ディスクの場合、記録時、光ディスク２に照射するレーザービームの光量を間欠的に立ち上げる。これによりこの光ディスク装置１では、いわゆるパルストレイン方式により光ディスク２にＱＴムービーファイル等を記録するようになされている。また光ピックアップ３３は、光ディスク２が相変化型ディスク等の場合、データ変復調器２３の出力データに応じて光ディスク２に照射するレーザービームの光量を再生時の光量から書き込み時の光量に立ち上げ、これにより熱記録の手法を適用して光ディスク２にＱＴムービーファイル等を記録するようになされている。
【００４５】
これらによりこの光ディスク装置１では、撮像結果によるビデオ信号及びオーディオ信号をビデオ符号器１１、オーディオ符号器１２によりデータ圧縮してエレメンタリストリームに変換した後、ファイル生成器１５によりＱＴムービーファイルに変換し、メモリコントローラ１８、エラー訂正符号／復号器２１、データ変復調器２３を順次介して、光ピックアップ３３により、又は光ピックアップ３３及び磁界ヘッド３２によりこのＱＴムービーファイルのデータ、インデックスファイルのデータ等を光ディスク２に記録するようになされている。
【００４６】
また光ディスク装置１では、光ピックアップ３３より得られる再生信号をデータ変復調器２３により処理して再生データを得、この再生データをエラー訂正符号／復号器２１で処理して、光ディスク２に記録したＱＴムービーファイル、インデックスファイル等を再生できるようになされ、これらＱＴムービーファイル、インデックスファイル等をメモリコントローラ１８から出力するようになされている。
【００４７】
ファイル復号器１６は、メモリコントローラ１８から出力されるＱＴムービーファイルのデータを入力し、このデータをビデオデータ及びオーディオデータのエレメンタリストリームに分解して出力する。ビデオ復号器１３は、このビデオデータのエレメンタリストリームをデータ伸長して図示しない表示手段、外部機器に出力する。オーディオ復号器１４は、ファイル復号器１６から出力されるオーディオデータのエレメンタリストリームをデータ伸長して、図示しない音声出力手段、外部機器に出力する。これによりこの光ディスク装置１では、光ディスク２から再生した撮像結果をモニタし得るようになされている。
【００４８】
なお、光ディスク装置１は、コンピュータ等の外部機器を接続するインターフェースを有し、これにより撮像結果に代えてコンピュータの出力データを光ディスク２に記録し、また光ディスク２に記録したファイルを再生してコンピュータで処理できるようになされている。
【００４９】
操作部２６は、この光ディスク装置１の各種操作子、液晶表示パネルに配置されたタッチパネルにより構成され、ユーザーによる各種操作をシステム制御マイコン１９に通知する。
【００５０】
システム制御マイコン１９は、この光ディスク装置１全体の動作を制御するコンピュータであり、図示しないメモリに記録された所定の処理プログラムの実行により、光ディスク２の装填が検出されると、光ピックアップ３３を光ディスク２の最内周にシークさせ、光ディスク２に係るファイル管理システムの管理情報を再生する。さらにシステム制御マイコン１９は、この再生した管理情報をメモリコントローラ１８から取得し、内蔵のメモリに保持する。これによりシステム制御マイコン１９は、光ディスク２に記録された各ファイルのアドレス、空き領域を検出するようになされている。
【００５１】
またこのようにして取得した管理情報を検索して、光ディスク２にインデックスファイルが記録されている場合、このインデックスファイルの記録位置に光ピックアップ３３をシークさせ、このインデックスファイルを再生する。またメモリコントローラ１８よりこの再生したインデックスファイルを取得し、内蔵のメモリに記録して保持する。これによりこの実施の形態では、このインデックスファイルを利用して光ディスク２に記録されたファイルの処理に関して全体の操作性を向上するようになされている。なお、これによりインデックスファイルにおいては、ユーザーエリアの最内周近傍に記録して立ち上がり時間を短くすることができる。
【００５２】
すなわちシステム制御マイコン１９は、ユーザーの操作に応動して、このインデックスファイルによりモニタ用の液晶表示パネルにサムネイル画像等を表示することにより光ディスク２に記録されたＱＴムービーファイルの内容を紹介し、またこの紹介によりユーザーによるファイルの選択を受け付け、対応する管理情報によりこのユーザーにより選択されたファイルを再生するように全体の動作を制御する。
【００５３】
またユーザーによる撮像結果の記録が指示されると、管理情報により空き領域を検出して光ピックアップ３３をこの空き領域にシークさせ、順次得られる撮像結果を光ディスク２に記録する。またこの撮像結果の記録によるＱＴムービーファイルの記録に対応するように、メモリに保持した管理情報を更新し、光ディスク２の排出時等において、この更新した管理情報により光ディスク２の管理情報を更新する。なおこの管理情報の更新においては、メモリに保持して更新した管理情報をメモリコントローラ１８を介してエラー訂正符号／復号器２１に出力することにより実行される。
【００５４】
これらの処理において、システム制御マイコン１９は、記録に供するＱＴファイルの生成に必要な各種の情報をファイル生成器１５に出力する。またファイル生成器１５を介してインデックスファイルの生成に必要な情報を取得し、この取得した情報とファイル生成器１５に出力した情報等とにより、新たに光ディスク２に記録するＱＴムービーファイルについて、メモリに保持したインデックスファイルを更新し、管理情報における更新処理と同様にして、このようにして更新してメモリに保持したインデックスファイルにより光ディスク２に記録されたインデックスファイルを更新する。
【００５５】
またユーザーにより光ディスク２に記録されたファイルの削除、追加等の編集が指示されると、さらにはインデックスファイル自体の編集が指示されると、この編集の処理に対応するように、記録時と同様にして、メモリに保持したインデックスファイル、管理情報を更新し、このメモリに保持したインデックスファイル、管理情報により光ディスク２のインデックスファイル、管理情報を更新する。なお光ディスク２にＱＴムービーファイルが記録されているにも係わらずインデックスファイルが記録されていない場合、システム制御マイコン１９は、ユーザーの指示によりインデックスファイルを作成してメモリに保持すると共に、光ディスク２に記録するようになされ、この処理においては、光ディスク２より各ＱＴムービーファイルの該当箇所を再生して、メモリコントローラ１８からインデックスファイルの生成に必要な情報を取得するようになされている。
【００５６】
（１−２）インデックスファイル
この実施の形態において、インデックスファイルは、ＱＴムービーファイル等の光ディスク２に記録される各種ファイルと同様に、光ディスク２のファイル管理システムにより、記録位置のアドレス、ファイル名、ファイル長等の再生に必要な情報が管理されるファイルであり、光ディスク２に記録された管理対象であるＱＴムービーファイルの内容を紹介する情報等により構成される。
【００５７】
これによりこの光ディスク装置１では、このインデックスファイルに基づいて光ディスク２に記録されたＱＴムービーファイルを選択し、この選択したファイルをファイル管理システムに基づいて光ディスク２から再生することにより、光ディスク２に多数のＱＴムービーファイルが記録されている場合でも、所望するファイルを迅速かつ正確に選択できるようになされ、その分、操作性を向上できるようになされている。
【００５８】
この実施の形態において、インデックスファイルは、このＱＴムービーファイルの内容を紹介する情報にＱＴムービーファイルに係る情報を抜粋した抜粋情報を割り当て、これにより各ＱＴムービーファイルの内容を簡易かつ迅速に把握できるようになされている。
【００５９】
またインデックスファイルは、図２に示すように、抜粋情報によるデータ群であるインデックスデータアトム７１と、このデータ群を管理する管理用データ群であるインデックスアトム７０とにより、ＱＴムービーファイルと同一のファイル構造により作成され、これによりＱＴムービーファイルの作成ツールであるファイル生成器１５を用いて作成し、また処理し得るようになされ、その分、光ディスク装置１では構成を簡略化し得るようになされている。
【００６０】
ここで抜粋情報は、このインデックスファイルによる管理対象ファイルの内容を紹介する管理対象ファイルの一部を抜粋した抜粋情報であることにより、管理対象ファイルの種類に応じて変化するものの、この実施の形態のように、管理対象ファイルがビデオデータ及びオーディオデータによるＱＴムービーファイルである場合、抜粋情報には、プロパティ、テキスト、サムネイル画像、サウンドの４種類のデータが適用される。
【００６１】
ここでプロパティは、ディスクタイトル、各管理対象ファイルの属性を示す属性情報である、ディスクタイトル、各管理対象ファイルに設定されたバイナリーデータによる抜粋情報が、他の抜粋情報の管理情報等と共に割り当てられる。テキストは、ディスクタイトル、各管理対象ファイルに係るタイトルの文字列を示すデータにより構成される。
【００６２】
サムネイル画像は、ディスクタイトル、各管理対象ファイルの内容を示す静止画像により構成され、管理対象ファイルのサムネイル画像は、例えば管理対象ファイルの先頭画像が割り当てられる。これに対してディスクタイトルのサムネイル画像等は、ユーザの選択により、例えば特定の管理対象ファイルのサムネイル画像が割り当られる。なお各管理対象ファイルのサムネイル画像は、ユーザーの選択により設定するようにしてもよい。
【００６３】
サウンドは、ディスクタイトル、各管理対象ファイルの内容を示す短時間のオーディオデータである。管理対象ファイルのサウンドは、例えば対応するファイルの再生開始より数秒間（例えば５秒間）のオーディオデータが割り当てられる。これに対してディスクタイトルのサウンド等は、ユーザの選択により、例えば特定の各管理対象ファイルのサウンドが割り当られる。なお管理対象ファイルのサウンドにあっても、ユーザーの選択により設定するようにしてもよい。
【００６４】
これによりこの光ディスク装置１において、システム制御マイコン１９は、ファイル生成器１５よりデータ圧縮されたビデオデータ及びオーディオデータを取得してデコードした後、ビデオデータについては、画素の間引きによりサムネイル画像を生成するようになされている。またオーディオデータについては、必要箇所を切り出してサウンドのデータを生成するようになされている。また光ディスク２のファイル管理システムに保持された各管理対象ファイルのファイル情報より、さらにはユーザーの設定によりタイトルのデータを生成するようになされている。これに対してプロパティは、ファイル管理システムに保持されたファイル情報等により、ユーザーの操作に応動してシステム制御マイコン１９により作成される。なおこれらサムネイル、サウンドのデータにおいては、必要に応じてデータ圧縮されてインデックスデータアトムに割り当てられる。
【００６５】
インデックスデータアトム７１は、これらプロパティ等の実データがそれぞれ属性毎にグループ化され、下位階層のアトムにより各グループ毎にまとめられる。インデックスデータアトム７１は、図３に示すように、各グループの先頭にそれぞれヘッダＰＨ〜ＳＨが設定され、続いてＱＴムービーファイルのスロットであるチャンクの連続に順次実データが割り当てられる。インデックスデータアトム７１は、このチャンクが固定長により形成され、１つのファイル、フォルダの抜粋情報が１個又は複数個のスロットに割り当てられる。これによりインデックスデータアトム７１は、ヘッダＰＨ〜ＳＨに続くスロットの連続により各抜粋情報のアトムが形成され、それぞれプロパティ、サムネイル画像、テキスト、サウンドの抜粋情報を設定してなるプロパティエントリＥ４、サムネイル画像エントリＥ３、テキストエントリＥ２、サウンドエントリＥ１がそれぞれアトム構造により構成されるようになされている。また１つのスロットに対応する１個のファイル等に係る抜粋情報を割り当てることが困難な場合、複数個のスロットに１つの管理対象ファイル等による抜粋情報が割り当てられて、固定長によるデータ処理により処理を簡略化し得るようになされている。
【００６６】
インデックスアトム７０は、インデックスデータアトム７１のプロパティエントリＥ４、サムネイル画像エントリＥ３、テキストエントリＥ２、サウンドエントリＥ１にそれぞれ対応するプロパティ、サムネイル画像、テキスト、サウンドのトラックアトム８１、８２、８３、８４と、これらトラックアトム８１〜８４を統括するムービーヘッダアトム８５とにより構成される。なおインデックスデータアトム７１においては、プロパティのみが必須であることにより、このインデックスアトム７０においては、ムービーヘッダアトム、プロパティトラックのみが必須とされる。
【００６７】
ここでムービーヘッダアトム８５には、ＱＴムービーファイルの場合と同様に、このインデックスファイル全体に関する情報が割り当てられる。これに対してプロパティ、テキスト、サムネイル画像、サウンドのトラック８１〜８４には、それぞれ対応する実データの位置情報（対応するスロットの開始バイトの相対位置（ＲＢＰ：Ｒｅｌａｔｉｖｅ  Ｂｙｔｅ  Ｎｕｍｂｅｒ）、データ長）がテーブルの形式により順次割り当てられて形成される。
【００６８】
これによりこの光ディスク装置１では、例えばユーザーの指示によりサムネイル画像を基準にして所望のファイルをサーチする場合には、このサムネイルのトラック８３に基づいてインデックスデータアトム７１より対応するスロットのデータを取得して、サムネイル画像のデータを順次取得できるようになされている。またプロパティトラック８１より対応するプロパティのスロットを検出して、このようにして取得したサムネイル画像のデータ等を処理できるようになされている。
【００６９】
（１−３）プロパティエントリによる管理
プロパティエントリＥ４は、管理対象ファイルである光ディスク２に記録されたファイルに加えて、光ディスク２のファイル管理システムによる実在するフォルダ、仮想的なフォルダ、この仮想的なフォルダに仮想的に配置された管理対象のファイルに対して、それぞれ抜粋情報が登録される。なお上述した他のエントリＥ１〜Ｅ３についても、同様に、実在するフォルダ、仮想的なフォルダ、この仮想的なフォルダに仮想的に配置された管理対象のファイルを登録し得るようになされている。これによりインデックスファイルにおいては、光ディスク２のファイル管理システムに対応する階層構造により、またユーザーの設定したお気に入り等による仮想的なフォルダによる階層構造により、管理対象ファイルを管理し得るようになされている。
【００７０】
またプロパティエントリＥ４は、他のエントリＥ１〜Ｅ３と同様に、このスロットが固定長により形成され、これによりプロパティに係る抜粋情報を１個のスロットに割り当てることができない場合、１つの管理対象ファイル、フォルダに対して、複数個のスロットが割り当てられるようになされている。なおこのプロパティエントリＥ４、他のエントリＥ１〜Ｅ３において、このように１つのファイル、フォルダに対して複数個のスロットが割り当てられている場合に、先頭以外のスロットを以下において拡張スロットと呼ぶ。
【００７１】
またプロパティエントリＥ４は、何れかの他のエントリＥ１〜Ｅ３において、同様に、１つの管理対象ファイル、スロットに対して複数個のスロットを設定する場合には、この他のエントリＥ１〜Ｅ３のスロットに対応するように複数個のスロットが割り当てられるようになされている。
【００７２】
これにより例えばサムネイル画像エントリＥ３、テキストエントリＥ２、サウンドエントリＥ１が何れも設定されていないフォルダ等に対しては、プロパティに係る抜粋情報のデータ量に応じて１個又は複数個のスロットに対応する抜粋情報が割り当てられるようになされている。またサムネイル画像エントリＥ３、テキストエントリＥ２、サウンドエントリＥ１が何れも１個のスロットにより構成されているファイル、フォルダについては、同様に、プロパティに係る抜粋情報のデータ量に応じて１個又は複数個のスロットに対応する抜粋情報が割り当てられるようになされている。これに対してサムネイル画像エントリＥ３、テキストエントリＥ２、サウンドエントリＥ１の何れかが複数個のスロットにより構成されているファイル、フォルダについては、プロパティに係る抜粋情報のデータ量が十分に小さい場合でも、これらサムネイル画像エントリＥ３、テキストエントリＥ２、サウンドエントリＥ１のうちで最もスロット数の多いエントリに対応するスロット数が設定されるようになされている。
【００７３】
プロパティエントリＥ４は、図３において矢印により示すように、各スロットに、サムネイル画像エントリＥ３、テキストエントリＥ２、サウンドエントリＥ１における対応するスロットとの関係を示す情報が設定され、また拡張スロットとの関係を示す情報が設定され、これによりこの実施の形態では、１つのファイル、フォルダの抜粋情報を登録してなる複数スロットを１つのかたまりとしてプロパティエントリにより一元的に管理できるようになされている。
【００７４】
またプロパティエントリＥ４は、このような実在する階層構造、仮想の階層構造に係る参照情報、登録された抜粋情報の有効無効を示す情報が設定される。すなわち図４に示すように、プロパティエントリＥ４においては、各スロットをそれぞれ特定するエントリ番号（Ｅｎｔｒｙ  Ｎｕｍｂｅｒ）が設定され、また複数のフラグの集合によるプロパティエントリフラグ（ＰＥ−Ｆｌａｇｓ）が設定される。プロパティエントリＥ４は、このプロパティエントリフラグにおける所定のフラグの設定により、このスロットの有効（０：Ｖａｌｉｄ  ）、無効（１：Ｉｎｖａｌｉｄ  ）を設定し、この無効の設定により空きスロットに設定し、このスロットに設定された抜粋情報を削除できるようになされている（以下、このフラグを有効無効フラグと呼ぶ）。また同様にして、このスロットがフォルダに対応するものか（０：Ｆｏｌｄｅｒ）、ファイルに対応するものか（１：Ｆｉｌｅ）を識別し得るようにする。
【００７５】
またプロパティエントリにおいては、階層構造に係る参照情報として、上位階層のスロットを指し示す上位階層の参照情報、下位階層のスロットを指し示す下位階層の参照情報、同一階層のスロットを指し示す同一階層の参照情報が各スロットに設定される。ここで上位階層の参照情報には、対応するファイル又はフォルダが属する直近のフォルダに対応するスロットを指し示す親エントリ番号が割り当てられるようになされている。なお以下において、この図４及びこの図４と同様に表された図においては、説明の簡略化のために、拡張スロットを除いてプロパティエントリについてのみについて示し、それぞれフォルダ及びファイルに、対応するスロットのスロット番号を設定して示す。しかしてプロパティエントリのスロットに拡張スロットが存在する場合、他のエントリに対応するスロットが存在する場合にあっては、以下に説明するプロパティエントリのスロットに係る処理が、これら関連するスロットをひとかたまりにして実行される。
【００７６】
すなわちこの図４（Ａ）の例は、図４（Ｂ）に示す階層構造を示すものである。この階層構造において、エントリ番号６、７のスロットに対応するファイルは、最も下位階層に存在し、共にエントリ番号４のスロットに対応するフォルダに属することにより、これらエントリ番号６、７のスロットについては親エントリ番号が４に設定される。またこのエントリ番号４、５のスロットにそれぞれ対応するフォルダ、ファイルは、エントリ番号３のスロットに対応するフォルダに属することにより、これらエントリ番号４、５のスロットについては、親エントリ番号が３に設定される。またこのエントリ番号３のスロットに属するフォルダ、エントリ番号１、２のスロットに属するファイルは、エントリ番号０のスロットに対応するルートフォルダに属することにより、これらエントリ番号１、２、３のスロットは、親エントリ番号が０に設定される。なおルートフォルダのスロットについては、他のスロットを特定しない特別な値（符号×により示す）が設定される。
【００７７】
また下位階層の参照情報には、子エントリ番号（Ｃｈｉｌｄ  Ｅｎｔｒｙ  Ｎｕｍｂｅｒ）が設定される。ここで子エントリ番号は、フォルダに対応するスロットでは、このフォルダに属する直近のフォルダ又はファイルを指し示すように設定され、ファイルに対応するスロットでは、所定の値に設定される。なお図４（Ａ）においては、この所定の値が、下位階層には実在しないスロットを指し示す番号である値０に設定される。
【００７８】
すなわちこの図４（Ｂ）の例では、エントリ番号０のスロットに対応するルートフォルダの直下に、エントリ番号３のスロットに対応するフォルダ、エントリ番号１、２のスロットに対応するファイルが存在することにより、エントリ番号０によるスロットは、子エントリ番号が３に設定される。またこのエントリ番号３のスロットに対応するフォルダには、直下に、エントリ番号４のスロットに対応するフォルダ、エントリ番号５のスロットに対応するファイルが存在することにより、エントリ番号３によるスロットは、子エントリ番号が４に設定される。またこのエントリ番号４のスロットに対応するフォルダには、直下に、エントリ番号６、７のスロットに対応するファイルが存在し、子エントリ番号が６に設定される。またエントリ番号１、２、５、６、７のファイルにおいては、下位階層が存在しないことにより、子エントリ番号は値０に設定される。
【００７９】
またプロパティエントリＥ４においては、同一階層の参照情報として、シブリングエントリ番号（Ｓｉｂｌｉｎｇ  Ｅｎｔｒｙ  Ｎｕｍｂｅｒ）が設定される。ここでシブリングエントリ番号は、同一階層、同一のフォルダに属するファイル、フォルダに対応するスロットにおいて、循環的に順次他のスロットを指し示すように設定される。
【００８０】
すなわち図４（Ａ）及び（Ｂ）においては、スロット番号１、２、３のスロットに対応するファイル及びフォルダが同一階層であって、同一のルートフォルダに属することにより、このスロット番号１、２、３のスロットにおいては、シブリングエントリ番号が、それぞれ２、３、１に設定される。またスロット番号４、５のスロットに対応するフォルダ及びファイルが同一階層であって、同一のスロット番号３によるフォルダに属することにより、このスロット番号４、５のスロットにおいては、シブリングエントリ番号が、それぞれ５、４に設定される。
またスロット番号６、７のスロットに対応するファイルが同一階層であって、同一のスロット番号４によるフォルダに属することにより、このスロット番号６、７のスロットにおいては、シブリングエントリ番号が、それぞれ７、６に設定される。
【００８１】
これらによりプロパティエントリＥ４においては、上位階層、下位階層、同一階層の参照情報により簡易に階層構造を把握し得るようになされている。またこの同一階層に係る参照情報においては、対応するスロットでエントリ番号が循環するように設定され、これにより１つのフォルダに属するファイルの数が種々に変化する場合であっても、効率良く階層構造を表現できるようになされている。
【００８２】
システム制御マイコン１９は、ユーザーの操作に従って、ファイルの削除、追加の処理、階層構造の変更の処理、インデックスファイルの編集等の処理を実行し、これらの処理に対応するようにインデックスファイルを更新する。システム制御マイコン１９は、このインデックスファイルの更新の処理において、ファイル、フォルダの追加、削除に対応してインデックスファイルに抜粋情報を登録し、また抜粋情報を削除する。システム制御マイコン１９は、ユーザーにより簡易処理の選択されている場合と、この簡易処理が選択されていない場合とでこの抜粋情報の登録、削除の処理を切り換えるようになされている。
【００８３】
すなわちユーザーが簡易処理を選択していない場合、システム制御マイコン１９は、ユーザーによるファイル、フォルダの削除に対応して、プロパティエントリＥ４より抜粋情報を削除するスロットを検出し、このスロットに設定されたシブリングエントリ番号を検出する。またこの検出したシブリングエントリ番号を順次辿って、この削除対象のスロットを指し示すようにシブリングエントリ番号が設定されたスロット、この削除対象のスロットのシブリングエントリ番号が指し示すスロットを検出する。システム制御マイコン１９は、これにより削除対象のスロットと、シブリングエントリ番号の循環におけるこの削除対象の前後のスロットとを検出する。
【００８４】
システム制御マイコン１９は、この前側のスロットに設定されている削除対象のスロットを指し示すシブリングエントリ番号の値を、続くスロットを指し示す値に更新する。また削除対象のスロットについては、何ら他のスロットを指し示さない値に設定する。これによりシステム制御マイコン１９は、削除に係るスロットについて、シブリングエントリ番号による循環の環より取り除き、残るスロットにおいて循環するようにシブリングエントリ番号を設定する。
【００８５】
またシステム制御マイコン１９は、削除対象のスロットに設定された親エントリ番号より対応する上位階層のスロットを検出し、この上位階層のスロットに設定された子エントリ番号が削除対象のスロットを指し示すように設定されている場合、この子エントリ番号を削除対象のスロットを指し示さないように設定する。なおシステム制御マイコン１９は、この場合、例えば先のシブリングエントリ番号の処理で検出した前側のスロット、又は続くスロットを指し示すように、このスロットの子エントリ番号を設定することにより、削除対象のスロットを指し示さないように子エントリ番号を設定する。またシステム制御マイコン１９は、この削除対象のスロットに設定された親エントリ番号を、何ら他のスロットを指し示さない値、又は特別なスロットを指し示す値に設定する。なおこの実施の形態では、値０に設定するようになされている。これによりシステム制御マイコン１９は、上位階層の参照情報の設定を更新する。
【００８６】
システム制御マイコン１９は、さらに有効無効のフラグを無効に設定し、これらにより、この削除対象のスロットと他のスロットとの関係を解消して、この削除対象のスロットを空きスロットに設定し、抜粋情報を削除する。なおこの削除対象のスロットに設定された子エントリ番号により、このスロットに従属する下位階層のスロットが存在する場合、さらにはフラグの設定によりこのスロットがフォルダに対応するスロットの場合、ユーザーにより確認を得、子エントリ番号を値０に設定し、また下位階層のスロットについても、同様にして空きスロットに設定する。
【００８７】
これに対してユーザーがファイルの追加を指示した場合、システム制御マイコン１９は、削除時とは逆に、参照情報、有効無効フラグの処理を実行する。すなわちシステム制御マイコン１９は、有効無効フラグの設定を順次判定して空きスロットを検出する。またこのファイルの追加先のフォルダに対応するスロットを検出し、このフォルダのスロットを指し示すように、親エントリ番号を設定する。またこのフォルダのスロットに設定された子エントリ番号より、このフォルダに属する他のファイル又はフォルダのエントリ番号を検出し、このエントリ番号のスロットに設定されたシブリングエントリ番号を検出する。システム制御マイコン１９は、この検出したスロットのシブリングエントリ番号を空きスロットのエントリ番号に更新し、また検出したスロットに元々設定されていたシブリングエントリ番号をこの空きスロットに設定する。またこの空きスロットに抜粋情報を登録すると共に、有効無効フラグを有効に設定する。なおこのようなファイルの追加において、空きスロットが存在しない場合、システム制御マイコン１９は、抜粋情報を削除する場合の空きスロットの設定と同様の処理により、プロパティエントリに空きスロットを追加した後、この空きスロットに抜粋情報を登録する。
【００８８】
これに対してユーザーにより簡易処理が選択された場合、システム制御マイコン１９は、図４との対比により図５に示すように、この削除に係るスロット、この削除に係るスロットを指し示す参照情報については、何ら変更することなく、有効無効のフラグのみ無効に設定してこのスロットを空きスロットに設定する。
これによりシステム制御マイコン１９は、階層構造を表現する上位階層、下位階層、同一階層の参照情報の機能を拡張して、空きスロットにおいては、空きスロット設定前の所在を表す情報として、また空きスロットを指し示すスロットにおいては、このようにして空きスロットに設定されたスロットを特定する情報として利用するようになされている。かくするにつきこの図５（Ａ）の例では、図４（Ｂ）との対比により図５（Ｂ）に示すファイル構造において、×の印により示すスロット番号１のスロットを空きスロットに設定した場合である。
【００８９】
図６は、この簡易処理に係るシステム制御マイコン１９の処理手順を示すフローチャートである。システム制御マイコン１９は、この処理手順を開始すると、ステップＳＰ１からステップＳＰ２に移り、インデックスファイルによりユーザーインターフェースを表示する。なおこの表示においては、ユーザーの設定により、例えば図５（Ｂ）に示すプロパティエントリに基づいたツリー構造によるファイル及びフォルダの表示、タイトルエントリに基づいたタイトル一覧、サムネイル画像エントリに基づくサムネイル画像の一覧等である。
【００９０】
システム制御マイコン１９は、このようにしてユーザーインターフェースを表示すると、ステップＳＰ３に移り、このユーザーインターフェースにおけるユーザーの選択により、削除するファイルの選択を受け付ける。続いてステップＳＰ４において、外部ファイル参照形式により、この削除対象のファイルを参照している他のファイルが存在するか否か判断する。
【００９１】
ここでこのような参照に係るファイルが存在しない場合、システム制御マイコン１９は、ステップＳＰ４からステップＳＰ５に移り、この削除に係るスロットの参照情報、この削除に係るスロットを指し示す参照情報については、何ら変更することなく、この削除に係るスロットの有効無効のフラグのみ無効に設定することにより、このスロットを空きスロットに設定し、ステップＳＰ２に戻る。
【００９２】
これに対してステップＳＰ４で肯定結果が存在すると、システム制御マイコン１９は、ステップＳＰ４からステップＳＰ６に移り、所定のメッセージを表示し、ユーザーの指示したファイルを削除すると、参照関係にある特定のファイルについて、正常に再生できなくなる旨、ユーザーに通知する。またこの通知によるユーザーの確認により、この参照関係に係る特定のファイルを含めたファイルの削除をユーザーが指示すると、この参照関係に係るファイル、このファイルに対応するスロットの抜粋情報を削除した後、ステップＳＰ５に移る。なおこの参照関係にある特定のファイルについての抜粋情報の削除についても、ステップＳＰ５における処理と同様に、参照情報については、何ら変更することなく、有効無効のフラグのみの操作で空きスロットに設定する。
【００９３】
これによりこの実施の形態では、上位階層、下位階層、同一階層のそれぞれについて階層構造に係る情報を設定する場合であっても、簡易な処理により抜粋情報を削除し得るようになされている。またこのようにして元のままに保持した階層構造に係る情報を抜粋情報の登録の際に有効に利用して、簡易に抜粋情報を登録できるようになされている。
【００９４】
なおシステム制御マイコン１９は、このような簡易処理による空きスロットにおいては、参照情報による設定が元のままに保持されて実際の設定とは矛盾することにより、例えばシブリングエントリ番号による所定のフォルダに属するファイル検索等の、参照情報による検索の処理においては、検索結果を有効無効フラグの設定によりフィルタリングして処理するようになされている。
【００９５】
これに対してこのように参照情報を元のままに維持して空きスロットに設定して、ユーザーによりファイルの登録等による抜粋情報の登録が指示されると、システム制御マイコン１９は、このファイルの登録先のフォルダに属していた空きスロットを、このフォルダのスロットに設定された子エントリ番号、この子エントリ番号により特定されるスロットのシブリングエントリ番号より検出する。すなわち例えば図５に示す例において、ルートフォルダにファイルを登録する場合、このルートフォルダのスロット（スロット番号０）の子エントリ番号より、エントリ番号３のフォルダに対応するスロットを検出する。さらにこのようにして検出したスロットのシブリングエントリ番号を順次辿って、有効無効フラグが無効に設定されたスロットを検出し、これにより登録先に元々属していた空きスロットを検出する。
【００９６】
システム制御マイコン１９は、この検出した空きスロットの有効無効フラグを有効に設定し、またこのように有効に設定したスロットに抜粋情報を記録し、これによりインデックスファイルにおいては、図５に対して図４に示す状態に戻るようになされている。なおこの場合に、このプロパティエントリのスロットに関連付けられた他のエントリのスロット、拡張スロットについても、併せて抜粋情報が記録される。
【００９７】
これに対してこのような空きスロットが存在しない場合、システム制御マイコン１９は、登録するフォルダにスロットを追加して抜粋情報を登録する。なおこの場合は、上述した簡易処理に設定されていない場合と同様に、参照情報等を設定して抜粋情報を登録する。
【００９８】
図７は、この抜粋情報の登録に係るシステム制御マイコン１９の処理手順を示すフローチャートである。システム制御マイコン１９は、この処理手順を開始すると、ステップＳＰ１１からステップＳＰ１２に移り、ファイルを追加するフォルダの指定を受け付ける。また続くステップＳＰ１３において、この指定されたフォルダについて、上述したようにして空きスロットを検出する。システム制御マイコン１９は、続くステップＳＰ１４において、このように空きスロットを検出して空きスロットを検出し得たか否か判断し、ここで肯定結果が得られると、ステップＳＰ１５に移り、各種属性情報をこの空きスロットに登録し、また続くステップＳＰ１６において、有効無効フラグを有効に設定した後、ステップＳＰ１２に戻る。
【００９９】
これに対してステップＳＰ１４で否定結果が得られると、システム制御マイコン１９は、ステップＳＰ１７に移り、ここで対応するエントリに空きスロットを追加した後、この空きスロットに各種属性情報を登録する。また続くステップＳＰ１９において、この空きスロットについて登録先のフォルダに対応するように、各種参照情報を設定し、またこの登録先のフォルダに既存のスロットの参照情報を設定し直し、また有効無効のフラグを有効に設定した後、ステップＳＰ１２に戻る。
【０１００】
これによりシステム制御マイコン１９は、上位階層、下位階層、同一階層のそれぞれについて階層構造に係る情報を設定する場合であっても、元のままに保持した階層構造に係る情報を抜粋情報の登録の際に有効に利用して、簡易に抜粋情報を登録するようになされている。
【０１０１】
（１−４）第１の実施の形態の動作
以上の構成において、この光ディスク装置１では（図１）、撮像手段、音声取得手段で取得したビデオデータ、オーディオデータがそれぞれビデオ符号器１１、オーディオ符号器１２でエンコードされた後、ファイル生成器１５によりＱＴムービーファイルのデータストリームに変換され、メモリコントローラ１８、エラー訂正符号／復号器２１、データ変復調器２３、磁界変調ドライバ２４、光ピックアップ３３による記録系を介して光ディスク２に記録される。これによりこの光ディスク装置１では、撮像結果がＱＴムービーファイルにより光ディスク２に記録される。またこの光ディスク２のファイルの記録に対応するように、システム制御マイコン１９の出力データがこの光ディスク装置１の記録系に出力され、これにより光ディスク２のファイル管理システムに係る管理情報がこのＱＴムービーファイルの記録に対応するように更新される。
【０１０２】
またこのようにして記録したＱＴムービーファイルにおいては、ファイル管理システムによる管理情報に基づいて光ピックアップ３３、データ変復調器２３、エラー訂正符号／復号器２１、メモリコントローラ１８を介して順次再生され、ファイル復号器１６によりビデオデータ及びオーディオデータのエレメンタリストリームに分解された後、それぞれビデオ復号器１３、オーディオ復号器１４によりデコードされて出力される。
【０１０３】
この光ディスク装置１では、このようなＱＴムービーファイルの記録時、ファイル生成器１５よりサムネイル画像用のデータ、サウンド用のデータがシステム制御マイコン１９で取得され、またこのファイルの記録に前後したユーザーの入力等によりタイトルのデータがシステム制御マイコン１９で取得される。またファイル管理システムに係るファイル名等の情報が取得され、これらにより光ディスク２に記録するＱＴムービーファイルの抜粋情報がシステム制御マイコン１９で収拾される。光ディスク装置１では、光ディスク２のファイル管理システムに係る管理情報と同様に、システム制御マイコン１９に内蔵のメモリにおいて、このようにして取得した抜粋情報によりインデックスファイルが生成され、このインデックスファイルがＱＴムービーファイルと同様に光ディスク２に記録される。またこのインデックスファイルの記録に対応するようにファイル管理システムの管理情報が更新される。
【０１０４】
この光ディスク装置１では、この抜粋情報が属性毎に分類されてグループ化され、各属性毎に、スロットの連続によるプロパティエントリ、テキストエントリ、サムネイル画像エントリ、サウンドエントリによりインデックスデータアトム７１（図２及び図３）が形成される。またこのインデックスデータアトム７１の参照情報により各トラックアトム８１〜８４が形成される。これによりこの実施の形態では、このインデックスファイルを有効に利用して所望するファイルを簡易かつ確実に検出できるようになされ、その分、操作性を向上し得るようになされている。
【０１０５】
このようにして作成されるインデックスファイルにおいて、サムネイル画像エントリＥ３、テキストエントリＥ２、サウンドエントリＥ１は、固定長による１個又は複数個のスロットに各抜粋情報が割り当てられるのに対し、管理対象であるファイル、フォルダの属性情報を設定するプロパティエントリＥ４は、これらのサムネイル画像エントリＥ３、テキストエントリＥ２、サウンドエントリＥ１のスロットに対応するスロット数により、同様に、固定長による１個又は複数個のスロットに抜粋情報が割り当てられ、さらに各スロットに、サムネイル画像エントリＥ３、テキストエントリＥ２、サウンドエントリＥ１における対応するスロットとの関係を示す情報、拡張スロットとの関係を示す情報が設定され、これによりこの実施の形態では、１つのファイル、フォルダの抜粋情報を登録してなる複数スロットを１つのかたまりとしてプロパティエントリにより一元的に管理できるようになされている。
【０１０６】
このような各種エントリの管理基準であるプロパティエントリＥ４においては、さらに拡張スロット以外のスロットに、上位階層、下位階層、同一階層の参照情報として、上位階層のフォルダを指し示す親エントリ番号（Ｐａｒｅｎｔ  Ｅｎｔｒｙ  Ｎｕｍｂｅｒ  ）、下位階層のフォルダを指し示す子エントリ番号（Ｃｈｉｌｄ  Ｅｎｔｒｙ  Ｎｕｍｂｅｒ）、同一階層、同一のフォルダに属するスロットを循環的に指し示すシブリングエントリ番号（Ｓｉｂｌｉｎｇ  Ｅｎｔｒｙ  Ｎｕｍｂｅｒ）が設定され（図４、図５）、これにより下位階層側から上位階層側を検索する場合に、また上位階層側から下位階層側を検索する場合に、さらには同一フォルダに属する同一階層のファイル等を検索する場合に、簡易かつ確実に検索できるようになされ、その分、階層構造を簡易に把握できるようになされている。
【０１０７】
実際上、光ディスク２においては、極めて容量が大きいのに対し、撮像結果においては、比較的容量の短いファイルが多数作成され、これにより記録媒体に膨大な数のファイルが記録されて保持されることになる。このような場合にあって、例えばシブリングエントリ番号が設定されていない場合には、１つのフォルダに属するファイルを検索するのに、プロパティエントリを構成する全てのスロットを検索して、検索に長大な時間を要するのに対し、この実施の形態のようにシブリングエントリ番号を設定しておけば、このシブリングエントリ番号を辿った検索により、所望のフォルダに属するファイルを簡易かつ確実に検出することができ、その分、この階層構造の把握に係る検索等の処理を簡略化することができる。
【０１０８】
このようにして上位階層、下位階層、同一階層の参照情報を設定して、ユーザーにより簡易処理が指定されていない場合、この実施の形態においては、プロパティエントリＥ４の対応するスロットにおいて、有効無効のフラグが無効に設定されると共に、この無効の設定に整合するように、このスロット、このスロットに関連するスロットの参照情報が更新され、これによりこのスロットが空きスロットに設定されて抜粋情報が削除される。またこのようにして空きスロットに設定されたスロットについて、有効無効のフラグが有効に設定されると共に、この有効無効フラグの有効の設定に整合するように、このスロット、このスロットに関連する登録先のスロットの参照情報が更新され、これによりこの空きスロットに抜粋情報が登録される。
【０１０９】
しかしながらこのような抜粋情報の登録、削除に係る処理においては、登録、削除に係るスロットだけでなく、参照情報により関連する他のスロットについても、参照情報を設定し直さなければならないことにより、その分、処理に時間を要することになる。
【０１１０】
このためこの実施の形態においては、ユーザーが簡易処理を選択した場合、参照情報については、何ら変更することなく、削除に係るスロットの有効無効のフラグのみ無効に設定してこのスロットの抜粋情報を削除し、これにより参照情報の機能を拡張して、空きスロットにおいては、参照情報が空きスロット設定前の所在を表すように、また空きスロットを指し示すスロットにおいては、参照情報がこのようにして空きスロットに設定されたスロットを特定するようにして、このスロットを空きスロットに設定する（図５及び図６）。これによりこの実施の形態では、上位階層、下位階層、同一階層の参照情報により階層構造を容易に把握できるようにして、簡易な処理により抜粋情報を削除し得るようになされている。またこのようにして元のままに保持した階層構造に係る情報を抜粋情報の登録の際に有効に利用して、簡易に抜粋情報を登録できるようになされている。
【０１１１】
またこのように参照情報を何ら変更することなく有効無効のフラグの設定により空きスロットに設定した場合にあっても、参照情報を基準にした検索結果を有効無効フラグの設定によりフィルタリングして処理することにより、また空きスロットについては有効無効フラグの設定を基準にして検索することにより、参照情報を設定し直して空きスロットを設定する場合と同様に、インデックスファイルに設定された各スロットを正しく認識して階層構造を把握することができ、これにより参照情報による本来の機能については、何ら損なうことなく、階層構造を容易に把握し得るようになされている。
【０１１２】
これに対して簡易処理によりファイルを登録する場合、この実施の形態においては、参照情報により、登録先のフォルダに属するように参照情報が設定されたままに保持された空きスロットが検出され、このような空きスロットが検出された場合には、このスロットの参照情報、このスロットに関連する他のスロットの参照情報については、何ら変更することなく、有効無効フラグが有効に設定され、抜粋情報が登録される（図４、図５、図７）。これに対してこのような空きスロットが検出できない場合、スロットの追加により抜粋情報が登録される。
【０１１３】
これによりこの実施の形態においては、元のままに保持した階層構造に係る参照情報を有効に利用して、簡易に抜粋情報を登録するようになされている。
【０１１４】
（１−５）第１の実施の形態の効果
以上の構成によれば、上位階層、下位階層、同一階層の参照情報を元のままに保持して、有効無効のフラグの設定だけで抜粋情報を削除して空きスロットを形成することにより、階層構造を容易に把握し得るようにして、簡易な処理により抜粋情報を削除することができる。
【０１１５】
またこのようにして元のままに保持した階層構造に係る情報を抜粋情報の登録の際に有効に利用して、有効無効のフラグの設定により抜粋情報を登録することにより、階層構造を容易に把握し得るようにして、簡易に抜粋情報を登録することができる。
【０１１６】
またこのような参照情報が、対応するファイル又はフォルダの属する直近のフォルダに対応するスロットを指し示す親エントリ番号、フォルダに対応する抜粋情報を保持してなるスロットにおいては、該フォルダに属する直近のフォルダ又はファイルに対応するスロットを指し示し、ファイルに対応する抜粋情報を保持してなるスロットにおいては、所定の値に設定される子エントリ番号と、対応するフォルダ又はファイルと同一のフォルダに属する同一階層のファイル及びスロットに対応するスロットにおいて、循環的に順次他のスロットを指し示すシブリングエントリ番号であることにより、簡易に階層構造を把握し得るようにして、抜粋情報を簡易に登録し、また削除することができる。
【０１１７】
（２）第２の実施の形態
この実施の形態においては、第１の実施の形態に比して一段と簡易な処理により抜粋情報を登録する。なお以下の説明においては、第１の実施の形態について上述した図１等の構成を流用して説明し、重複した説明は省略する。
【０１１８】
この実施の形態において、システム制御マイコン１９は、上述した上位階層、下位階層、同一階層の参照情報については、これを無視して検索等の処理を実行し、これによりインデックスファイルによる階層構造については理解し得ないようになされ、その分、簡易な処理により検索等の処理を実行し得るようになされている。これによりこの実施の形態においては、例えば第１の実施の形態について説明したインデックスファイルが記録されている光ディスク２が装填された場合に、ユーザーが光ディスク２に記録されたファイルの一覧表示を指示すると、単に有効無効フラグにより有効に設定されているスロットを検出し、このスロットに検出された拡張スロット等の情報に基づいて、ファイル名、サムネイル画像等を一覧表示するようになされている。
【０１１９】
またこのような一覧表示において、ユーザーがファイルの削除を指示すると、システム制御マイコン１９は、第１の実施の形態について上述した簡易処理により、参照情報については元のままに保持して抜粋情報を削除する。これによりこの実施の形態においては、簡易な処理により抜粋情報を削除して空きスロットを形成できるようになされている。
【０１２０】
これに対してユーザーがファイルの登録を指示すると、図８においてエントリ番号８で示すように、このようにして削除した空きスロットを有効無効フラグにより検出し、またこのような空きスロットを検出できない場合には、スロットを追加し、これらのスロットについて、親エントリ番号、子エントリ番号、シブリングエントリ番号の何れをも値０に設定して抜粋情報を登録する。なおこの図８の例は、エントリ番号０〜７までは、第１の実施の形態に係る光ディスク装置によりインデックスファイル、対応するファイルが記録された光ディスク２について、この実施の形態に係る光ディスク装置によりエントリ番号８に係るファイルを光ディスク２に記録する場合である。
【０１２１】
これに対して光ディスク２のファイル管理システムによる管理においては、例えばこのファイルの登録の年月日をフォルダ名に設定してなる所定のフォルダに、このファイルを割り当てる。これによりこの実施の形態においては、親エントリ番号と子エントリ番号とで同一のスロットを指し示すように設定して、またシブリングエントリ番号においては、同一階層、同一フォルダには属し得ないルートフォルダを指し示して循環を形成しないように設定して、さらには対応するファイルに係る階層構造とは異なるように参照情報を設定して、参照情報を矛盾させ、この状態で有効無効フラグを有効に設定すると共に抜粋情報を割り当ててインデックスファイルに抜粋情報を登録するようになされている。
【０１２２】
しかしてこの実施の形態の光ディスク装置においては、上位階層、下位階層、同一階層の参照情報を無視して検索等の処理を実行することにより、このようにして登録してなるスロットに係る抜粋情報については、他の正しく参照情報を設定してなる抜粋情報（図８において、スロット番号０〜７のスロットに登録された抜粋情報である）と同様に、正しく認識されることになる。
【０１２３】
これに対して第１の実施の形態について上述した階層構造を理解する光ディスク装置において、このようにして登録されたスロットに対応するファイルにおいては各スロットに設定された子エントリ番号及びシブリングエントリ番号を基準にして階層構造を把握する場合には、図９（Ａ）に示すように、何れのフォルダにも属さない独立したファイルとして把握されるのに対し、各スロットに設定された親エントリ番号を基準にして階層構造を把握する場合には、図９（Ｂ）に示すように、ルートフォルダに属するファイルとして把握されることになる。これによりこのような光ディスク装置においても、何ら処理に支障を来すこなく階層構造を把握し得、また必要に応じて、参照情報の矛盾を解消する修復の処理を実行して、さらにはこのように何れかの参照情報により把握される階層構造により処理して、このような光ディスク装置で記録したインデックスファイルを同様に処理することができる。
【０１２４】
図１０は、このようなファイルの登録に係るシステム制御マイコン１９の処理手順を示すフローチャートである。システム制御マイコン１９は、この処理手順を開始すると、ステップＳＰ２１からステップＳＰ２２に移り、追加ファイルの指定を受け付ける。続くステップＳＰ２３において、上述した参照情報、有効無効フラグをこの空きスロットに設定した後、続くステップＳＰ２４でこのスロットに抜粋情報を登録し、ステップＳＰ２２に戻る。
【０１２５】
これによりこの実施の形態のように、抜粋情報が矛盾するように設定して抜粋情報を登録することにより、上位階層、下位階層、同一階層の参照情報により階層構造を簡易に把握できるようにする場合にあっても、簡易に、抜粋情報を登録することができるようになされている。
【０１２６】
具体的に、対応するファイルに係る階層構造とは異なるように参照情報を設定して、又は上位階層の参照情報と下位階層の参照情報とが同一のスロットを指し示すように設定して、又は同一階層の参照情報が同一階層には存在しないスロットを指し示すように設定して矛盾するように参照情報を設定し得、これにより、簡易に、抜粋情報を登録することができる。
【０１２７】
（３）第３の実施の形態
この実施の形態においては、第２の実施の形態について上述した手法により登録された抜粋情報のスロットを検出して修復処理する。なおこの実施の形態においては、この修復処理を実行する点を除いて、第１の実施の形態に係る光ディスク装置と同一に構成されることにより、以下の説明においては、第１の実施の形態に係る光ディスク装置１の構成を流用して説明する。
【０１２８】
ここでこの光ディスク装置において、システム制御マイコン１９は、第２の実施の形態について上述した参照情報が矛盾するように設定されてなるスロットを検出し、このスロットを修復対象に設定する。これによりこの実施の形態では、簡易に処理対象を検出できるようになされている。
【０１２９】
具体的に、この実施の形態では、対応するファイルに係る階層構造とは参照情報による設定が異なる点、上位階層の参照情報と下位階層の参照情報とが矛盾する点、同一階層の参照情報が矛盾する点のうち、同一階層の参照情報が矛盾する点に着目し、シブリングエントリ番号が値０に設定されているスロットを検出して修復対象に設定する。
【０１３０】
またこのような修復対象のスロットに対応するファイルをまとめて一覧表示し、この表示におけるユーザーの指示に従って光ディスク２のファイル管理システムを書き換えると共に、このスロットの参照情報を更新し、これにより参照情報の矛盾を解消して修復処理を実行する。
【０１３１】
すなわち図８及びこの図８との対比により図１１に示すように、エントリ番号８のスロットにおいては、第２の実施の形態について上述した親エントリ番号、子エントリ番号、シブリングエントリ番号が値０に設定されて、有効無効フラグを値０に設定してなるスロットであることにより、この実施の形態では、全てのスロットをサーチしてシブリングエントリ番号が値０のスロットを検出し、これによりこの図８の例ではエントリ番号８のスロットを検出する。またこのエントリ番号８のスロットについて、例えばユーザーが、エントリ番号４のフォルダに登録を指示した場合、親エントリ番号を値４に設定し、また子エントリ番号は値０のまま保持する。またシブリングエントリ番号については、このエントリ番号４のフォルダに既に登録されているエントリ番号６、７のスロットとの間で、循環するように値を設定する。またこのエントリ番号３のフォルダへの登録に対応するように、光ディスク２のファイル管理システムにおける記録を更新する。
【０１３２】
図１２は、この修復処理に係るシステム制御マイコン１９の処理手順を示すフローチャートである。システム制御マイコン１９は、ユーザーにより修復が指示されると、この処理手順のステップＳＰ４１からステップＳＰ４２に移り、光ディスク２からインデックスファイルを読み出して各スロットの情報を取得する。また続くステップＳＰ４３において、この取得したスロットの情報をサーチしてシブリングエントリ番号が値０に設定されているスロットを検出し、続くステップＳＰ４５において、このようなスロットを検出し得たか否か判断する。ここで肯定結果が得られると、システム制御マイコン１９は、ステップＳＰ４６に移り、図１１について上述したように参照情報を設定してユーザーの指示する任意のフォルダにこのスロットを登録した後、ステップＳＰ４３に戻る。
【０１３３】
これに対してステップＳＰ４５で否定結果が得られると、ステップＳＰ４７に移り、この場合、修復が完了していることにより、この完了したツリー構造によるファイル名等を表示する。
【０１３４】
この実施の形態の構成によれば、矛盾する上位階層、下位階層、同一階層の参照情報が設定されてなるスロットを検出し、この検出したスロットに対応するファイルをまとめて表示することにより、例えば階層構造を無視してインデックスファイルに登録されたファイルを検出してユーザーに提供することができる。
【０１３５】
またこのようなスロットについて、ユーザーの指示に係る所定のフォルダに属するように、参照情報を設定することにより、階層構造を無視してインデックスファイルに登録されたファイルを階層構造により管理し得るように参照情報を修復することができる。
【０１３６】
（４）第４の実施の形態
この実施の形態においては、第３の実施の形態について上述した同一階層の参照情報が矛盾する点に代えて、上位階層の参照情報と下位階層との参照情報とが矛盾する点を利用して、階層構造を無視して登録したスロットを検出し、修復処理する。
【０１３７】
すなわちこの実施の形態においては、子エントリ番号及び親エントリ番号が共に値０に設定されているスロットを検出し、このスロットを修復対象に設定して修復の処理を実行する。またこのようなスロットについては、ユーザーにより指定されたフォルダに代えて、事前に設定されたフォルダに、又は光ディスク２のファイル管理システムに対応するフォルダに属するように、修復処理する。
【０１３８】
この実施の形態のように、上位階層の参照情報と下位階層との参照情報とが矛盾する点を利用して、階層構造を無視して登録したスロットを検出して、修復処理するようにしても、第３の実施の形態と同様の効果を得ることができる。
【０１３９】
（５）第５の実施の形態
この実施の形態においては、空きスロットについても、循環するようにシブリングエントリ番号を設定する。すなわち図１３に示すように、例えばエントリ番号１、６、７のスロットに登録された抜粋情報を削除する場合において、最初にエントリ番号１のスロットについては、このエントリを他のスロットからは指し示さないように、またこのエントリからは他のスロットを指し示さないように、他のスロットの親エントリ番号、子エントリ番号、シブリングエントリ番号を設定し、またこのエントリの親エントリ番号、子エントリ番号を値０に設定する。
またこの他のスロットにおいては、シブリングエントリ番号が循環するように、設定し直す。また削除に係るスロットにおいては、自身のエントリ番号をシブリングエントリ番号に設定し、有効無効フラグを無効に設定する。
【０１４０】
このようにして１つのスロットを削除した状態で、続いてスロットを削除する場合、同様に、このスロットの親エントリ番号、子エントリ番号を値０に設定し、また他のスロットについて親エントリ番号、子エントリ番号、シブリングエントリ番号を設定する。また削除に係るスロットにおいては、既に空きスロットに設定されているスロットを指し示すようにシブリングエントリ番号を設定し、また既に空きスロットに設定されているスロットについては、この削除に係るスロットを指し示すようにシブリングエントリ番号を設定し、有効無効フラグを無効に設定する。これにより空きスロットにおいても、シブリングエントリ番号が循環するように設定する。
【０１４１】
図１４は、この削除の処理に係るシステム制御マイコン１９の処理手順を示すフローチャートである。システム制御マイコン１９は、この処理手順を開始すると、ステップＳＰ５１からステップＳＰ５２に移り、インデックスファイルによりユーザーインターフェースを表示する。システム制御マイコン１９は、続くステップＳＰ５３において、このユーザーインターフェースにおけるユーザーの選択により、削除するファイルの選択を受け付け、続くステップＳＰ５４において、外部ファイル参照形式により、この削除対象のファイルを参照している他のファイルが存在するか否か判断する。
【０１４２】
ここでこのような参照に係るファイルが存在しない場合、システム制御マイコン１９は、ステップＳＰ５４からステップＳＰ５５に移り、この削除に係るスロットの有効無効フラグを無効に設定することにより、このスロットを空きスロットに設定する。また続くステップＳＰ５６において、上述したように各参照情報を設定した後、ステップＳＰ５２に戻る。
【０１４３】
これに対してステップＳＰ５４で肯定結果が存在すると、システム制御マイコン１９は、ステップＳＰ５４からステップＳＰ５７に移り、所定のメッセージを表示し、指示したファイルを削除すると、参照関係にある特定のファイルについて、正常に再生できなくなる旨、ユーザーに通知する。またこの通知によるユーザーの確認により、この参照関係に係る特定のファイルを含めたファイルの削除をユーザーが指示すると、この参照関係に係るファイル、このファイルに対応するスロットの抜粋情報を削除した後、ステップＳＰ５５に移る。なおこの参照関係にある特定のファイルについての抜粋情報の削除についても、ステップＳＰ５５における処理と同様に実行される。
【０１４４】
このようにして空きスロットを設定して、システム制御マイコン１９は、抜粋情報を登録する場合、１つの空きスロットについて抜粋情報を登録すると、この空きスロットに設定されたシブリングエントリ番号より続く空きスロットを検出する。これによりこの実施の形態では、空きスロットを検出する処理を簡略化するようになされている。
【０１４５】
図１５は、この抜粋情報の登録処理に係るシステム制御マイコン１９の処理手順を示すフローチャートである。システム制御マイコン１９は、この処理手順を開始すると、ステップＳＰ６１からステップＳＰ６２に移り、プロパティエントリを検出して１つの空きスロットを検出し、この空きスロットのエントリ番号をシブリングエントリ番号の変数に登録する。なおこの場合に空きスロットが検出されなかった場合には、この変数に値０を登録する。
【０１４６】
続いてシステム制御マイコン１９は、ステップＳＰ６３に移り、ファイルを追加するフォルダの指定を受け付け、続くステップＳＰ６４において、ステップＳＰ６２で登録した変数が値０か否か判断し、ここで肯定結果が得られると、この場合、空きスロットが存在しないことにより、ステップＳＰ６４からステップＳＰ６５に移り、インデックスファイルに有効無効のフラグを有効に設定してスロットを追加した後、続くステップＳＰ６６において、この追加したスロットに各種属性情報を登録する。また続くステップＳＰ６７において、各種参照情報を正しく設定した後、ステップＳＰ６３に戻る。
【０１４７】
これに対して空きスロットが検出されると、ステップＳＰ６４で否定結果が得られることにより、システム制御マイコン１９は、ステップＳＰ６４からステップＳＰ６８に移り、このシブリングエントリ番号の変数によって指し示されるスロットについて有効無効フラグを有効に設定する。また続くステップＳＰ６９において、このスロットのシブリングエントリ番号に他の空きスロットのエントリ番号が設定されているか否か判断する。ここで否定結果が得られると、システム制御マイコン１９は、ステップＳＰ６９からステップＳＰ７０に移り、シブリングエントリ番号の変数を値０に設定した後、ステップＳＰ６６に移り、この有効無効フラグを有効に設定したスロットに属性情報を登録し、続くステップＳＰ６７で参照情報を設定する。
【０１４８】
これに対してステップＳＰ６９で肯定結果が得られると、ステップＳＰ７１に移り、ステップＳＰ６９で検出した他の空きスロットのスロット番号をシブリングエントリ番号の変数に設定する。またステップＳＰ６８で有効とした空きスロットをシブリングエントリ番号により指し示すスロットを検出し、このスロットのシブリングエントリ番号にシブリングエントリ番号の変数を登録し、これにより残りの空きスロットでシブリングエントリ番号が循環するように設定した後、ステップＳＰ６６に移る。
【０１４９】
この実施の形態においては、空きスロットにおいてもシブリングエントリ番号が循環するように設定することにより、空きスロットの検出処理を簡略化し得、その分、階層構造を容易に把握し得るようにして、抜粋情報を簡易に登録することができるようになされている。
【０１５０】
（６）他の実施の形態
なお上述の第１の実施の形態等においては、有効無効フラグの処理と同時に参照情報を設定する場合について述べたが、本発明はこれに限らず、必要に応じて空き時間を利用して参照情報を設定するようにしてもよい。
【０１５１】
また上述の第３及び第４の実施の形態においては、親エントリ番号及び子エントリ番号の設定が矛盾する場合として、共に値０に設定してルートフォルダのスロットを指し示すように設定する場合について述べたが、本発明はこれに限らず、このように親エントリ番号及び子エントリ番号が同一のスロットを指し示す場合を処理基準とする場合にあっては、値０以外を設定するようにしてもよい。
【０１５２】
また上述の実施の形態においては、内部ファイル参照形式により各抜粋情報を保持する場合について述べたが、本発明はこれに限らず、各エントリを外部ファイルに設定してインデックスファイルを構成する場合にも広く適用することができる。
【０１５３】
また上述の実施の形態においては、ＱＴムービーファイルの形式によりインデックスファイルを作成する場合について述べたが、本発明はこれに限らず、種々のフォーマットによりインデックスファイルを構成する場合に広く適用することができる。
【０１５４】
また上述の実施の形態においては、本発明を光ディスク装置に適用して撮像結果、パソコンの出力等を記録する場合について述べたが、本発明はこれに限らず、光磁気ディスク、ハードディスク装置等の各種記録媒体に記録した多数のファイルを管理する場合、さらには所定のサーバーに保持した多数のファイルを管理する場合等に広く適用することができる。
【０１５５】
また上述の実施の形態においては、ＱＴムービーファイルによる管理対象ファイルを管理する場合について述べたが、本発明はこれに限らず、種々のフォーマットによるビデオデータによるファイル、オーディオデータによるファイル等を管理する場合に広く適用することができる。
【０１５６】
また上述の実施の形態においては、システム制御マイコン１９に事前にインストールされた処理プログラムにより一連の処理を実行する場合について述べたが、本発明はこれに限らず、このようなプログラムを記録媒体、インターネット等のネットワークにより提供し、このプログラムにより一連の処理を実行する場合についても広く適用することができる。なおこのような記録媒体においては、光ディスク、磁気テープ等、種々の記録媒体を広く適用することができる。
【０１５７】
【発明の効果】
上述のように本発明によれば、上位階層、下位階層、同一階層のスロットを指し示す参照情報の機能を有効活用して抜粋情報を登録削除することにより、階層構造を容易に把握し得るようにして、抜粋情報を簡易に登録、削除することができる。
【図面の簡単な説明】
【図１】本発明の第１の実施の形態に係る光ディスク装置を示すブロック図である。
【図２】図１の光ディスク装置におけるインデックスファイルの説明に供する図表である。
【図３】図２のインデックスファイルの各エントリの関係を示す図表である。
【図４】図１の光ディスク装置における抜粋情報の削除の説明に供する図表である。
【図５】図１の光ディスク装置における抜粋情報の登録の説明に供する図表である。
【図６】図４の処理に係る処理手順を示すフローチャートである。
【図７】図５の処理に係る処理手順を示すフローチャートである。
【図８】本発明の第２の実施の形態に係る光ディスク装置におけるスロットの追加の説明に供する図表である。
【図９】図８の処理に対応するファイル構造を示す図表である。
【図１０】図８の処理に係る処理手順を示すフローチャートである。
【図１１】本発明の第３の実施の形態に係る光ディスク装置における修復処理の説明に供する図表である。
【図１２】図１１の処理に係る処理手順を示すフローチャートである。
【図１３】本発明の第５の実施の形態に係る光ディスク装置における抜粋情報の削除の説明に供する図表である。
【図１４】図１３の処理に係る処理手順を示すフローチャートである。
【図１５】図１３の削除の処理に対応する抜粋情報の登録処理に係る処理手順を示すフローチャートである。
【符号の説明】
１……光ディスク装置、２……光ディスク、１１……ビデオ符号器、１２……オーディオ符号器、１３……ビデオ復号器、１４……オーディオ復号器、１５……ファイル生成器、１６……ファイル復号器、１９……システム制御マイコン
【図１】
2004259392.tif 000003
【図２】
2004259392.tif 000004
【図３】
2004259392.tif 000005
【図４】
2004259392.tif 000006
【図５】
2004259392.tif 000007
【図６】
2004259392.tif 000008
【図７】
2004259392.tif 000009
【図８】
2004259392.tif 000010
【図９】
2004259392.tif 000011
【図１０】
2004259392.tif 000012
【図１１】
2004259392.tif 000013
【図１２】
2004259392.tif 000014
【図１３】
2004259392.tif 000015
【図１４】
2004259392.tif 000016
【図１５】
2004259392.tif 000017